(57)【特許請求の範囲】
【請求項１】
照明光学系と、前記照明光学系からの出射光を赤、緑、青の３色の色光に分光して出射する色光分解光学系と、前記色光分解光学系からの各色光が入射されて変調された各色の画像光を出射する液晶表示装置と、前記変調された各色の画像光を合成して出射する色合成光学系と、前記照明光学系及び色分解光学系を収納するケースと、前記液晶表示装置を含む光学素子を固定する光学シャーシとを備えた投写型画像表示装置であって、
前記ケース及び光学ケースの下方にほぼ密閉された第１の空間を設け、前記ケースは、側面に配設されケース内の第２の空間に対して開口する第１の開口部と底面に配設され前記第１の空間に対して開口する第２の開口部とを有し、前記光学シャーシは、前記液晶表示装置の少なくとも１つに対応する位置に配設され前記第１の空間に対して開口する第３の開口部を有し、前記第１の開口部に隣接して冷却ファンを配設したことを特徴とする投写型画像表示装置。
【請求項２】
前記ケースの第１の開口部の下方に前記第１の空間に対して開口する第４の開口部を設け、前記冷却ファンは、前記第１及び第４の開口部に隣接して配設したことを特徴とする請求項１記載の投写型画像表示装置。
【請求項３】
前記光学素子は、前記色分解光学系により分光された各色の色光の所定の偏光光を透過し他の偏光光を吸収する偏光板と前記偏光板からの所定の偏光光を反射する偏光ビームスプリッタとを含み、前記液晶表示装置は、反射型液晶表示装置からなり、前記偏光ビームスプリッタで反射された偏光光が入射され変調された各色の画像光を入射方向に出射し、前記変調された画像光が前記偏光ビームスプリッタを介して前記色合成光学系に供給されることを特徴とする請求項１又は２記載の投写型画像表示装置。
【請求項４】
前記液晶表示装置は、透過型液晶表示装置からなることを特徴とする請求項１又は２記載の投写型画像表示装置。
【請求項５】
前記光学シャーシは、前記偏光板に対応する位置に配設され前記第１の空間に対して開口する第５の開口部を有することを特徴とする請求項３記載の投写型画像表示装置。
【請求項６】
前記照明光学系は、矩形上の外形を有する複数の矩形集光レンズから構成され、偏光方向がランダムな入射光を集光して複数の２次光源像を形成する第１のレンズ板と、前記複数の２次光源像が形成される位置の近傍に配設され、複数の偏光ビームスプリッタとその出射側に設けられた１／２波長板とで構成され、前記入射光を偏光面の揃った所定の偏光光に変換する偏光分離変換プリズムアレイと、前記偏光分離変換プリズムアレイの出射面側に配設され、矩形上の外形を有する複数の矩形集光レンズから構成された第２のレンズ板とを有し、前記ケースは、前記偏光分離変換プリズムアレイに対応する位置に配設され前記第１の空間に対して開口する第６の開口部とを有することを特徴とする請求項１乃至５のいずれかに記載の投写型画像表示装置。
【発明の詳細な説明】
【０００１】
【発明の属する技術分野】
本発明は、液晶表示装置を用いた投写型画像表示装置に関し、特に投写型画像表示装置内の光学素子の冷却構造に関するものである。
【０００２】
【従来の技術】
従来、光源からの光を赤、緑、青の３種類の色光に分割して各色光用の液晶表示パネルに照射し、この各液晶表示パネルに表示された画像をカラー画像に合成して投影する投写型画像表示装置として図３に示すように構成されたものがあ
る。図３に示すように、光源１からの白色光は、黄反射ダイクロイックミラー
（ＹＤＭ）２ａに入射し、直進（透過）する青色光と反射する緑色光及び赤色光に分割される。黄反射ダイクロイックミラー（ＹＤＭ）２ａを透過した青色光は反射ミラー３ａで反射されて青色光用の透過型液晶パネル４ａに照射される。
【０００３】
また、黄反射ダイクロイックミラー（ＹＤＭ）２ａで反射された緑色光及び赤色光は緑反射ダイクロイックミラー（ＧＤＭ）２ｂに入射し、反射する緑色光と直進（透過）する赤色光に分割される。緑反射ダイクロイックミラー（ＧＤＭ）２ｂで反射された緑色光は緑色光用の透過型液晶パネル４ｂに照射され、緑反射ダイクロイックミラー（ＧＤＭ）２ｂを透過した赤色光は反射ミラー３ｂ、３ｃで反射されて赤色光用の透過型液晶パネル４ｃに照射される。
このように各色光が照射される青色光用、緑色光用、赤色光用の各透過型液晶パネル４ａ、４ｂ、４ｃは、一対の透明電極基板間に液晶を封入して液晶セルを構成し、この液晶セルの両面に偏光板を設けた構成となっており、各色光が照射されることにより、各色光の画像の光を合成クロスプリズム５に照射する。
【０００４】
合成クロスプリズム５は、各色光の画像光を反射及び透過させて合成するもので、内部に蒸着膜よりなる２つのダイクロイックミラー面（ＲＤＭ）５ａ、（ＢＤＭ）５ｂが「Ｘ」状に交差して設けられている。
赤色の画像光はダイクロイックミラー面（ＢＤＭ）５ｂを透過し、ダイクロイックミラー面（ＲＤＭ）５ａで反射され、青色の画像光はダイクロイックミラー面（ＢＤＭ）５ｂで反射し、ダイクロイックミラー面（ＲＤＭ）５ａを透過する。また、緑色の画像光はダイクロイックミラー面（ＲＤＭ）５ａ及びダイクロイックミラー面（ＢＤＭ）５ｂを透過する。
以上のように各画像光は合成クロスプリズム５によって合成され、投影レンズ６によりスクリーン７に拡大投影される。
【０００５】
【発明が解決しようとする課題】
上述の投写型画像表示装置において、光源のランプとしてキセノンランプやハロゲンランプ等の高輝度のランプを使用しておりこの種のランプはかなりの発熱を生じる。また、所定の偏光光を透過し、それ以外の偏光光を吸収する偏光板で入射光のかなりの部分が熱となり、装置内の温度をさらに上昇させている。
このような温度上昇に対し、偏光板、液晶パネル、合成クロスプリズム等の光学素子を固定する光学シャーシの下に冷却ファンを設け、光学シャーシに設けられた孔を通して偏光板や液晶パネル等の光学素子を冷却することが考えらるが、装置の薄型化が困難であり、冷却ファンと装置の枠体との間の隙間が少ないと流路抵抗が大きくなり、冷却効率が悪く、また、冷却ファンの騒音も大きいというという問題がある。
本発明は、上述の問題に鑑みてなされたものであり、薄型で冷却効率の向上した投写型画像表示装置を提供することを目的とする。
【０００６】
【課題を解決するための手段】
本発明は、照明光学系と、照明光学系からの出射光を赤、緑、青の３色の色光に分光して出射する色光分解光学系と、色光分解光学系からの各色光が入射されて変調された各色の画像光を出射する液晶表示装置と、変調された各色の画像光を合成して出射する色合成光学系と、照明光学系及び色分解光学系を収納するケースと、液晶表示装置を含む光学素子を固定する光学シャーシとを備えた投写型画像表示装置であって、ケース及び光学ケースの下方にほぼ密閉された第１の空間を設け、ケースは、側面に配設されケース内の第２の空間に対して開口する第１の開口部と底面に配設され第１の空間に対して開口する第２の開口部とを有し、光学シャーシは、液晶表示装置の少なくとも１つに対応する位置に配設され第１の空間に対して開口する第３の開口部を有し、第１の開口部に隣接して冷却ファンを配設して構成する。
【０００７】
また、請求項１記載の投写型画像表示装置において、ケースの第１の開口部の下方に第１の空間に対して開口する第４の開口部を設け、冷却ファンは、第１及び第４の開口部に隣接して配設して構成する。
【０００８】
請求項１又は２記載の投写型画像表示装置において、光学素子は、色分解光学系により分光された各色の色光の所定の偏光光を透過し他の偏光光を吸収する偏光板と偏光板からの所定の偏光光を反射する偏光ビームスプリッタとを含み、液晶表示装置は、反射型液晶表示装置からなり、偏光ビームスプリッタで反射された偏光光が入射され変調された各色の画像光を入射方向に出射し、変調された画像光が偏光ビームスプリッタを介して色合成光学系に供給するように構成する。
【０００９】
請求項１又は２記載の投写型画像表示装置において、液晶表示装置は、透過型液晶表示装置からなることを特徴とする。
【００１０】
請求項３記載の投写型画像表示装置において、光学シャーシは、偏光板に対応する位置に配設され第１の空間に対して開口する第５の開口部を有することを特徴とする。
【００１１】
請求項１乃至５のいずれかに記載の投写型画像表示装置において、照明光学系は、矩形上の外形を有する複数の矩形集光レンズから構成され、偏光方向がランダムな入射光を集光して複数の２次光源像を形成する第１のレンズ板と、複数の２次光源像が形成される位置の近傍に配設され、複数の偏光ビームスプリッタとその出射側に設けられた１／２波長板とで構成され、入射光を偏光面の揃った所定の偏光光に変換する偏光分離変換プリズムアレイと、偏光分離変換プリズムアレイの出射面側に配設され、矩形上の外形を有する複数の矩形集光レンズから構成された第２のレンズ板とを有し、ケースは、偏光分離変換プリズムアレイに対応する位置に配設され第１の空間に対して開口する第６の開口部とを有することを特徴とする。
【００１２】
【作用】
ケース及び光学ケースの下方にほぼ密閉された第１の空間を設け、ケースは、側面に配設されほぼ密閉されたケース内の第２の空間に対して開口する第１の開口部と底面に配設され第１の空間に対して開口する第２の開口部とを有し、光学シャーシは、液晶表示装置の少なくとも１つに対応する位置に配設され第１の空間に対して開口する第３の開口部を有し、第１の開口部に隣接して冷却ファンを配設してたことにより、冷却ファンからの冷却風が第１の開口部、ケース内の第１の空間、第２の開口部、第１の空間及び第３の開口部を通して液晶表示装置に供給される。このような放熱構造を採用することにより、薄型で冷却効率の向上した投写型画像表示装置を得ることができる。また、冷却ふぁんをケースの側面に配設しているので、流路抵抗を小さくでき騒音も軽減される。さらに、光路としてのみ用いていたケース内の第２の空間を冷却風の通路としても有効利用できる。
【００１３】
【発明の実施の形態】
以下、図面を参照して本発明の一実施形態に係る投写型画像表示装置の構成を説明する。図１は、本発明の一実施形態に係る投写型画像表示装置を平面的に見た場合の概略構成を示している。
先ず、光学系の配置構成について説明する。光源１０は、ハロゲンランプやキセノンランプ等の白色光源からなり、光源１０から放射された偏光方向がランダムな偏光光は、リフレクタ１１により反射され略平行な光束となって照明光学系に照射される。照明光学系は、第１インテグレータレンズ（第１のレンズ板）１３ａ、ミラー１４、偏光分離変換プリズムアレイ３５及び第２インテグレータレンズ（第２のレンズ板）１３ｂから構成される。
【００１４】
第１インテグレータレンズ１３ａは、矩形上の外形を有する複数の矩形集光レンズから構成され、光源１０からの偏光方向がランダムな入射光を集光して複数の２次光源像を形成する。偏光分離変換プリズムアレイ３５は、第１インテグレータレンズ１３ａによる複数の２次光源像が形成される位相の近傍に配設され、複数の偏光ビームスプリッタとその出射側に設けられた１／２波長板とで構成され、前記入射光を偏光面の揃った所定の１種類の偏光光に変換する。第２インテグレータレンズ１３ｂは、偏光分離変換プリズムアレイ３５の出射面側に配設され、矩形上の外形を有する複数の矩形集光レンズから構成される。
【００１５】
ここで、第１インテグレータレンズ１３ａ及び第２インテグレータレンズ１３ｂは、インテグレータ光学系を構成し、光源１０からの光束を第１インテグレータレンズ１３ａを構成する複数の矩形集光レンズによって分割し、各矩形集光レンズにより形成される複数の２次光源像を各矩形集光レンズに対応した矩形集光レンズ群を備えた第２インテグレータレンズ１３ｂを介して所定の照明領域（液晶表示装置の表示面）に重畳結像させるものである。この光学系により、光源１０からの光の利用効率が向上すると共に所定の照明領域を照明する光の強度分布をほぼ均一にすることができる。
【００１６】
また、第１インテグレータレンズ１３ａによって形成される複数の２次光源像（複数の微小な光束）は、偏光分離変換プリズムアレイ３５の複数の偏光ビームスプリッタの偏光分離面によって、それぞれ偏光方向が異なるＰ偏光光とＳ偏光光に分離され、一方の偏光光はそのまま偏光分離面を通過し、他方の偏光光は偏光分離面で反射して進行方向を９０度変え、隣接する偏光分離面で反射して進行方向を９０度変え、最終的には一方の偏光光とほぼ平行な角度で偏光分離変換プリズムアレイ３５から出射される。偏光分離変換プリズムアレイ３５の一方の偏光光の出射面にのみ１／２波長板が配置されており、一方の偏光光は、１／２波長板を通過する際偏光面の回転作用を受け他方の偏光光に変換され、一方、隣接する偏光分離面で反射され出射される他方の偏光光は１／２波長板を通過しないので偏光面の回転作用を受けずそのまま出射される。このようにして偏光分離変換プリズムアレイ３５により、偏光方向がランダムな偏光光が１種類の偏光光に変換され光の利用効率が高められる。
【００１７】
次に、第２インテグレータレンズ１３ｂを透過した光は黄反射ダイクロイックミラー（ＹＤＭ）１２ａに入射し、直進（透過）する青色光と反射する緑色光及び赤色光に分割される。黄反射ダイクロイックミラー（ＹＤＭ）２ａを透過した青色光は青反射ダイクロイックミラー（ＢＤＭ）１２ｃで反射されてレンズ１５を透過して光学シャーシ３０に設けられた偏光板２０ｃに照射される。
偏光板２０ａ、２０ｂ、２０ｃは、偏光ビームスプリッタ２１ａ、２１ｂ、２１ｃに入射される偏光光を揃えるために所定の偏光光（Ｐ成分偏光光又はＳ成分偏光光）を透過させ、他の偏光光（Ｓ成分偏光光又はＰ成分偏光光）を吸収する。即ち、偏光板２０ｃを透過したＰ成分偏光は偏光ビームスプリッタ２１ｃに照射され、偏光ビームスプリッタ２１ｃの偏光分離面でＰ成分偏光（又はＳ成分偏光）は透過し、Ｓ成分偏光（又はＰ成分偏光）を反射し、青色光用の反射型液晶表示装置２２ｃの表示面に照射される。
【００１８】
反射型液晶表示装置２２ｃに入射したＳ成分偏光は、ＲＧＢの各原色映像信号の画素信号に応じて各画素部分毎に偏光面の回転した偏光光、つまりＲＧＢ入射光の偏光状態を変換した偏光光を入射方向に出射する。反射型液晶表示装置２２ｃから出射された光の内、偏光状態が偏光されたＰ成分偏光（又はＳ成分偏光）は、偏光ビームスプリッタ２１ｃの偏光分離面を透過し、合成クロスプリズム２３に照射されるが、偏光されない偏光光（Ｓ成分偏光）は偏光ビームスプリッタ２１ｃの偏光分離面で反射され、偏光板２０ｃで吸収される。
【００１９】
一方、黄反射ダイクロイックミラー（ＹＤＭ）１２ａで反射された緑色光と赤色光は緑色光を反射し、赤色光を透過する緑反射ダイクロイックミラー（ＧＤ
Ｍ）１２ｂに照射される。緑色光は緑反射ダイクロイックミラー（ＧＤＭ）１２ｂで反射されて、透明ガラス板１９を透過して偏光板２０ｂに照射される。
緑反射ダイクロイックミラー（ＧＤＭ）１２ｂで反射された光の内、Ｓ成分偏光（又はＰ成分偏光）は偏光板２０ｂにより吸収され、Ｐ成分偏光（又はＳ成分偏光）を透過して偏光ビームスプリッタ２１ｂに照射する。そして、偏光ビームスプリッタ２１ｂの偏光分離面でＰ成分偏光（又はＳ成分偏光）は透過され、Ｓ成分偏光（又はＰ成分偏光）は反射されて緑色光用の反射型液晶表示装置２２ｂの表示面に照射される。反射型液晶表示装置２２ｂでＲＧＢの各原色映像信号の画素信号に応じて偏光状態が変換された偏光光を反射型液晶表示装置２２ｃから出射し、偏光ビームスプリッタ２１ｂの偏光分離面を透過し合成クロスプリズム２３に照射される。
【００２０】
また、緑反射ダイクロイックミラー（ＧＤＭ）１２ｂを透過した光の内、Ｓ成分偏光（又はＰ成分偏光）は偏光板２０ａにより吸収され、Ｐ成分偏光（又はＳ成分偏光）を透過して偏光ビームスプリッタ２１ａに照射する。
偏光ビームスプリッタ２１ａの偏光分離面でＰ成分偏光（又はＳ成分偏光）は透過され、Ｓ成分偏光（又はＰ成分偏光）は反射されて赤色光用の反射型液晶表示装置２２ａの表示面に照射される。反射型液晶表示装置２２ａでＲＧＢの各原色映像信号の画素信号に応じて偏光状態が変換された偏光光を反射型液晶表示装置２２ａから出射し、偏光ビームスプリッタ２１ａの偏光分離面を透過し合成クロスプリズム２３に照射される。
【００２１】
合成クロスプリズム２３に照射される各色光の内、赤色の画像光は合成クロスプリズム２３に設けられたダイクロイックミラー面（ＢＤＭ）２３ｂを透過し、ダイクロイックミラー面（ＲＤＭ）２３ａで反射される。また、青色の画像光はダイクロイックミラー面（ＢＤＭ）２３ｂで反射され、ダイクロイックミラー面（ＲＤＭ）２３ａを透過する。同様に、緑色の画像光はダイクロイックミラー面（ＲＤＭ）２３ａ及びダイクロイックミラー面（ＢＤＭ）２３ｂを透過する。
以上のように各画像光は合成クロスプリズム２３によって光合成され、投影レンズ２６により図示せぬスクリーンに拡大投影される。
【００２２】
上述の照明光学系及び黄反射ダイクロイックミラー１２ａ、緑反射ダイクロイックミラー１２ｂ、青反射ダイクロイックミラー１２ｃ及びレンズ１５で構成される色分解光学系は、所定の配置関係で収納ケース２０内に収納されている。
また、上述の偏光板２０ａ、２０ｂ、２０ｃ、偏光ビームスプリッタ２１ａ、２１ｂ、２１ｃ、反射型液晶表示装置２２ａ、２２ｂ、２２ｃ、色合成光学系を構成する合成クロスプリズム２３及び投影レンズ２６からなる各光学素子は、所定の配置関係で光学シャーシ３０上に固定配置されている。
次に、図１及び図２に基づいて本発明の一実施形態による投写型画像表示装置における放熱構造について説明する。ここで、図２は、各光学素子に対する放熱構造を示す部分面図である。
【００２３】
上述の光源１０は、照明光学系及び色分解光学系を収納した収納ケース２０、各光学素子が配置された光学シャーシ３０は、上側キャビネット４０と下側キャビネット４１により覆われている。
収納ケース２０及び光学シャーシ３０の下方には、収納ケース２０及び光学シャーシ３０の底面と、下側キャビネット４１の上面と、下側キャビネット４１の上面に垂直に所定の領域を囲むように設けられた枠部２５とによりほぼ密閉された第１の空間４３が形成されている。
収納ケース２０内において、黄反射ダイクロイックミラー１２ａとレンズ１５との間の光路がほぼ密閉され、ほぼ密閉された第２の空間４４が形成され、収納ケース２０の側面には、収納ケース２０内の第２の空間４４に対して開口する第１の送風口（第１の開口部）１６ａが配設され、収納ケース２０の底面には、第１の空間４３に対して開口する第２の送風口（第２の開口部）１８ａ、１８ｂが配設されている。
【００２４】
また、収納ケース２０の第１の送風口１６ａの下方には、第１の空間４３に対して開口する第４の送風口（第４の開口部）１６ｂが配設されている。
冷却ファン１７は、収納ケース２０の側面に第１及び第４の送風口１６ａ、１６ｂに隣接して（対応して）配設され、第１及び第４の送風口１６ａ、１６ｂから冷却風を第２の空間４４、第１の空間４３内に供給する（図２（ａ）、（ｂ）参照）。
光学シャーシ３０は、赤色光用及び青色光用の反射型液晶表示装置２２ａ、２２ｃに対応する位置に第１の空間４３に対して開口する第３の送風口（第３の開口部）２４ｄ、２４ｅを有し、偏光板２０ａ、２０ｂ、２０ｃに対応する位置に第１の空間に対して開口する第５の送風口（第５の開口部）２４ａ、２４ｂ、２４ｃを有する。
【００２５】
さらに、収納ケース２０は、偏光分離変換プリズムアレイ３５に対応する位置に第１の空間に対して開口する第６の送風口（第６の開口部）１８ｃを有し、緑色光用の反射型液晶表示装置２２ｂに対向する位置に内部空間４４に対して開口する第７の送風口（第７の開口部）１８ｄを有する。
赤色光用の反射型液晶表示装置２２ａに対しては、第１の送風口１６ａ、第２の空間４４、第２の送風口１８ａ、第１の空間４３、第３の送風口２４ｄで形成される流路と第４の送風口１６ｂ、第１の空間４３、第３の送風口２４ｄで形成される流路とを通して冷却ファン１７からの冷却風が供給され、冷却風は、反射型液晶表示装置２２ａを冷却しながら上方に吹き抜ける。
【００２６】
青色光用の反射型液晶表示装置２２ｃに対しては、第１の送風口１６ａ、第２の空間４４、第２の送風口１８ｂ、第１の空間４３、第３の送風口２４ｅで形成される流路と第４の送風口１６ｂ、第１の空間４３、第３の送風口２４ｅで形成される流路とを通して冷却ファン１７からの冷却風が供給され、冷却風は、反射型液晶表示装置２２ｃを冷却しながら上方に吹き抜ける。
緑色光用の反射型液晶表示装置２２ｂに対しては、第１の送風口１６ａ、第２の空間４４、第７の送風口１８ｄで形成される流路とを通して冷却ファン１７からの冷却風が供給される。
【００２７】
偏光板２０ａに対しては、第１の送風口１６ａ、第２の空間４４、第２の送風口１８ａ、第１の空間４３、第５の送風口２４ａで形成される流路と第４の送風口１６ｂ、第１の空間４３、第５の送風口２４ａで形成される流路とを通して冷却ファン１７からの冷却風が供給され、冷却風は、偏光板２０ａを冷却しながら上方に吹き抜ける。
偏光板２０ｂに対しては、第１の送風口１６ａ、第２の空間４４、第２の送風口１８ａ、第１の空間４３、第５の送風口２４ｂで形成される流路と第４の送風口１６ｂ、第１の空間４３、第５の送風口２４ｂで形成される流路とを通して冷却ファン１７からの冷却風が供給され、冷却風は、偏光板２０ｂを冷却しながら上方に吹き抜ける。
【００２８】
偏光板２０ｃに対しては、第１の送風口１６ａ、第２の空間４４、第２の送風口１８ｂ、第１の空間４３、第５の送風口２４ｃで形成される流路と第４の送風口１６ｂ、第１の空間４３、第５の送風口２４ｃで形成される流路とを通して冷却ファン１７からの冷却風が供給され、冷却風は、偏光板２０ｃを冷却しながら上方に吹き抜ける。
偏光分離変換プリズムアレイ３５に対しては、第１の送風口１６ａ、第２の空間４４、第２の送風口１８ａ、第１の空間４３、第６の送風口１８ｃで形成される流路と第４の送風口１６ｂ、第１の空間４３、第６の送風口１８ｃで形成される流路とを通して冷却ファン１７からの冷却風が供給される。
【００２９】
上述の実施形態においては、液晶表示装置として反射型液晶表示装置を用いた一例を示したがこれに限らず液晶表示装置として透過型液晶表示装置を用いても同様な効果が得られる。この場合、例えば図３の透過型液晶表示装置を用いた投写型画像表示装置において、黄反射ダイクロイックミラー２ａ、緑反射ダイクロイックミラー２ｂ、反射ミラー３ａ、３ｂ、３ｃで構成される色分解光学系を収納ケース内に収納し、また、透過型液晶パネル４ａ、４ｂ、４ｃ、色合成光学系を構成する合成クロスプリズム５及び投影レンズ６からなる各光学素子を光学シャーシ上に固定配置し、上述の実施形態と同様に収納ケース及び光学シャーシの下方に第１の空間を、収納ケースの側面及び下方に第１及び第４の送風口を、収納ケース内の第２の空間を第１の空間と連結する第２の送風口を、光学シャーシの透過型液晶パネルに対応する位置に第３の送風口をそれぞれ形成し、冷却ファンを第１及び第４の送風口に隣接して配設すれば良い。
【００３０】
また、上述の実施形態においては、第１の空間を収納ケース２０及び光学シャーシ３０の底面と、下側キャビネット４１の上面と、下側キャビネット４１の上面に垂直に所定の領域を囲むように設けられた枠部２５とにより形成する例を示したがこれに限らず例えば収納ケース２０及び光学シャーシ３０、下側キャビネット４１を用いずに別部材で形成するようにしても良い。
【００３１】
【発明の効果】
本発明の投写型画像表示装置によれば、ケース及び光学シャーシの下方にほぼ密閉された第１の空間を設け、ケースは、側面に配設されほぼ密閉されたケース内の第２の空間に対して開口する第１の開口部と底面に配設され第１の空間に対して開口する第２の開口部とを有し、光学シャーシは、液晶表示装置の少なくとも１つに対応する位置に配設され第１の空間に対して開口する第３の開口部を有し、第１の開口部に隣接して冷却ファンを配設したことにより、薄型で冷却効率の向上した投写型画像表示装置を得ることができる。また、冷却ファンをケースの側面に配設しているので、流路抵抗が小さくでき騒音も軽減される。さらに、光路としてのみ用いていたケース内の第２の空間を冷却風の通路としても有効利用できる。
【図面の簡単な説明】
【図１】本発明の実施形態における投写型画像表示装置の構成図。
【図２】本発明の実施形態における投写型画像表示装置の部分的断面図。
【図３】従来例の投写型画像表示装置の構成図。
【符号の説明】
１０・・光源
１１・・リフレクタ
１２ａ・・黄反射ダイクロイックミラー（ＹＤＭ）
１２ｂ・・緑反射ダイクロイックミラー（ＧＤＭ）
１２ｃ・・青反射ダイクロイックミラー（ＢＤＭ）
１３ａ・・第１インテグレータレンズ
１３ｂ・・第２インテグレータレンズ
１４・・ミラー
１５・・レンズ
１６ａ・・第１の送風口
１６ｂ・・第４の送風口
１７・・冷却ファン
１８ａ、１８ｂ・・第２の送風口
１８ｃ・・第６の送風口
１８ｄ・・第７の送風口
１９・・透明ガラス板
２０・・収納ケース
２０ａ、２０ｂ、２０ｃ・・偏光板
２１ａ、２１ｂ、２１ｃ・・偏光ビームスプリッタ
２２ａ、２２ｂ、２２ｃ・・反射型液晶表示装置
２３・・合成クロスプリズム
２３ａ・・ダイクロイックミラー面（ＲＤＭ）
２３ｂ・・ダイクロイックミラー面（ＢＤＭ）
２４ａ、２４ｂ、２４ｃ・・第５の送風口
２４ｄ、２４ｅ・・第３の送風口
２５ａ、２５ｂ・・枠部
２６・・投影レンズ
３０・・光学シャーシ
３５・・偏光分離変換プリズムアレイ
４０・・上側キャビネット
４１・・下側キャビネット
４３・・第１の空間
４４・・第２の空間
【図１】
0003545170.tif 000002
【図２】
0003545170.tif 000003
【図３】
0003545170.tif 000004